(57)【要約】【課題】解体が容易で、環境問題を引き起こすことも少なく、しかも、解体したコンクリートの運搬も容易で、そのリサイクル、リユースも容易なコンクリート土間の構造等を提供する。【解決手段】波板としてのキーストンプレート４が地盤面３に敷かれ、キーストンプレート４の谷部４ａが地盤面３に支承されて山部４ｂと地盤面３との間に空洞部６が形成されており、該キーストンプレート４の上に場所打ちのコンクリート５が打設されて、コンクリート土間２が形成されている。【選択図】      図１
2006097372.tif 000002
【特許請求の範囲】
【請求項１】
波板が地盤面に敷かれ、波板の谷部が地盤面に支承されて山部と地盤面との間に空洞部が形成されており、該波板の上に場所打ちのコンクリートが打設されていることを特徴とするコンクリート土間の構造。
【請求項２】
波板の山部の位置を特定するための標示が備えられている請求項１に記載のコンクリート土間の構造。
【請求項３】
前記波板が山部の延びる方向において複数枚並べられ、コンクリートがこれら波板にわたすように打設されている請求項１又は２に記載のコンクリート土間の構造。
【請求項４】
山部の延びる方向において並べられた複数の波板の境界部を特定するための標示が備えられている請求項３に記載のコンクリート土間の構造。
【請求項５】
請求項１乃至４のいずれか一に記載のコンクリート土間に対し、土間コンクリートを、波板の山部の位置で該山部の延びる方向に向けて波板とともに切断していくことを特徴とするコンクリート土間の解体方法。
【請求項６】
請求項５の解体方法において、請求項３又は４に記載のコンクリート土間に対し、土間コンクリートを、山部の延びる方向に並べられた波板間で切断する又は切込みを入れて割ることを特徴とするコンクリート土間の解体方法。
【請求項７】
請求項５又は請求項６の解体方法で切断して得られたコンクリート版。
【請求項８】
請求項７に記載のコンクリート版を用いてつくられた建物等の構造物。
【発明の詳細な説明】
【技術分野】
【０００１】
本発明は、コンクリート土間の構造、その解体方法、コンクリート版及び構造物に関する。
【背景技術】
【０００２】
例えば、住宅、事務所、店舗等の建物におけるコンクリート土間は、従来より、地盤面を整地し、その上に砕石を敷き、充分に転圧したのち、ワイヤーメッシュ等のひび割れ防止筋を配筋し、しかる後、必要板厚分のコンクリートを打設するというようにして形成されている。
【発明の開示】
【発明が解決しようとする課題】
【０００３】
しかしながら、上記のようにして形成されたコンクリート土間も、いずれは解体される運命にあるが、従来の解体方法は、破砕機を用いて土間コンクリートを砕き、ワイヤーメッシュ等の逐次切断しながら解体していくものであり、解体が非常に厄介で、また、解体時の騒音、粉塵等により環境問題を引き起こしたり、更には、破砕したコンクリートガラは、形状等もバラバラで、運搬に手間を要し、また、運搬後は処分するしかないという問題があった。
【０００４】
本発明は、上記のような問題点に鑑み、解体が容易で、環境問題を引き起こすことも少なく、しかも、解体したコンクリートの運搬も容易で、そのリサイクル、リユースも容易なコンクリート土間の構造、その解体方法等を提供することを課題する。
【課題を解決するための手段】
【０００５】
上記の課題は、波板が地盤面に敷かれ、波板の谷部が地盤面に支承されて山部と地盤面との間に空洞部が形成されており、該波板の上に場所打ちのコンクリートが打設されていることを特徴とするコンクリート土間の構造によって解決される。
【０００６】
この構造では、波板が地盤面に敷かれ、波板の山部と地盤面との間に空洞部が形成されているので、解体の際には、土間コンクリートを、波板の山部の位置で該山部の延びる方向に向けてコンクリートカッターなどの切断機で容易に切断していくことができ、この切断で、併せて、波板もとぎれなく切断することができ、こうして切断された部分は、土間コンクリートを破砕機で破砕する必要がなく、土間コンクリートの解体を容易にすることができる。
【０００７】
しかも、上記のように、破砕機による破砕が少なくなる、あるいは、なくなることによって、騒音、粉塵等の環境問題の発生も抑えることができ、加えて、切断による解体が可能になることで、解体によって得られるコンクリート材の形状やサイズを考慮した解体が可能になり、そのリサイクルやリユースが容易になる。
【０００８】
もちろん、土間コンクリートからの荷重は、波板の谷部が地盤面に支承されていることで、波板なしのコンクリート土間構造と同様に、地盤側にしっかりと伝えることができ、波板なしのコンクリート土間構造と遜色のないコンクリート土間構造を形成することができる。
【０００９】
また、土間コンクリートと地盤面との間に波板が備えられていることにより、解体作業において、切断した土間コンクリートを吊り上げていく際に多くの地盤材が付着してついていくこともなく、地盤との分離、吊り上げを施工容易におこなつていくことができる。
【００１０】
上記の構造において、波板の山部の位置を特定するための標示が備えられている場合は、コンクリート土間の解体において、山部の延びる方向における土間コンクリートの切断位置を容易に特定することができ、解体作業を能率良く行っていくことができる。
【００１１】
また、上記の構造において、波板が山部の延びる方向において複数枚並べられ、コンクリートがこれら波板にわたすように打設されている場合は、解体作業において、コンクリート土間に対し、土間コンクリートを、山部の延びる方向に並べられた波板間で切断する、あるいは、切込みを入れて割れば、波板は切断しなくても分離されているので、土間コンクリートを、波板の山部の位置で該山部の延びる方向に向けて切断していくことこととの組み合わせで、切断を主たる方法として解体を進めていくことができ、解体作業を容易にすることができ、環境問題の発生も抑制することができる。
【００１２】
しかも、上記のような切断の組み合わせによって、コンクリート土間から方形版状のコンクリート版を容易に得ることができ、運搬を容易にし、解体によって生じる廃材のリサイクル、リユースを容易にすることができる。
【００１３】
また、上記の構造において、山部の延びる方向において並べられた複数の波板の境界部を特定するための標示が備えられている場合は、コンクリート土間の解体において、山谷が繰り返す方向における土間コンクリートの切断位置を容易に特定することができ、解体作業を能率良く行っていくことができる。
【００１４】
更に、本発明は、上記の解体方法で切断して得られたコンクリート版も含む。このコンクリート版は、波板の上に打設されて形成されたコンクリート版であり、プレキャストコンクリート版として、リサイクル、リユースして有効的に用いることができる。その場合に、波板はコンクリート版に付けられたままであってもよいし、除去されていてもよい。
【００１５】
また、本発明は、該コンクリート版を用いてつくられた建物等の構造物も内容として含み、資源に無駄を生じさせない環境に優しい構造物を提供することができる。
【発明の効果】
【００１６】
本発明は、以上のとおりのものであるから、解体が容易で、環境問題を引き起こすことも少なく、しかも、解体したコンクリートの運搬が容易で、そのリサイクル、リユースも容易である。
【発明を実施するための最良の形態】
【００１７】
次に、本発明の実施最良形態を図面に基づいて説明する。
【００１８】
図１に示す実施形態のコンクリート土間の構造は、建物の床下土間についてのもので、図１（イ）において、１はコンクリートの布基礎、２は床下のコンクリート土間である。
【００１９】
コンクリート土間２は、図２（イ）（ロ）及び図１（ロ）に示すように、布基礎１で囲まれた内部の地盤面３に、波板としての複数枚のキーストンプレート４を、山部の延びる方向と、山谷の繰り返す方向のそれぞれに敷き並べ、図２（ロ）（ハ）に示すように、キーストンプレート４…上にひび割れ防止筋７を配筋したのち、図１（イ）に示すように、場所打ちコンクリート５を各キーストンプレート４…上にわたすように打設して形成されたものであり、図１（イ）に示すように、形成されたコンクリート土間２において、キーストンプレート４は、その各谷部４ａ…が地盤面３に支承されて各山部４ｂ…と地盤面３との間に空洞部６…が形成されている。
【００２０】
また、コンクリート土間２には、将来的な解体に備えて、第１の標示８と、第２の標示９が備えられている。
【００２１】
即ち、第１の標示８は、キーストンプレート４の山部の位置を特定するためのもので、吊り用のアイボルト８で形成されている。即ち、山部４ｂ…の延びる方向に延びる切断予定ラインを挟む両側に吊り用のアイボルト８，８が対称に取り付けられており、該アイボルト８，８間の中心位置を切断していけば、土間コンクリート５を、キーストンプレート４の山部４ｂの位置で山部の延びる方向に切断していくことができるようになされている。
【００２２】
なお、切断用の標示として機能するか否かを問わず、アイボルトが解体後の吊上げのために土間に備えられている場合は、標示用のアイボルト８と、そうでないアイボルトとを識別できるようにしておくのもよい。また、コンクリート土間２にナットを仕込んでおいて該ナットを標示とし、吊り上げに際してアイボルトを連結するようにするのもよい。
【００２３】
また、第２の標示９は、山部４ｂの延びる方向において並べられたキーストンプレート４，４の境界部を特定するためのもので、図１（ロ）に示すように、該境界部に沿ってコンクリート土間２の上面部に形成された目地９…からなっており、該目地部９を標示として、該目地部に沿って土間コンクリート５を切断等していけば、山部４ｂの延びる方向に並べられたキーストンプレート４，４間で切断等していくことができるようになされている。
【００２４】
コンクリート土間２の解体は、図３（イ）（ロ）に示すように、上記の第１の標示であるアイボルト８，８から山部方向への切断ラインを読み取り、切断機の刃１０で、土間コンクリート５を、キーストンプレート４の山部４ｂの位置で、該山部４ｂの延びる方向に向けて、キーストンプレート４も含めて切断していき、また、図示しないが、第２の標示である目地部９から山谷方向への切断ラインを読み取り、同じく切断機の刃で、土間コンクリート５を山部４ｂの延びる方向に並べられたキーストンプレート４，４間で切断する又は切込みを入れる。
【００２５】
山部４ｂの延びる方向への切断は、山部４ｂにおいて行われるから、山部４ｂと地盤面３との間の空洞部６を利用して、切断機の刃１０を地盤面３に食い込ませることなく、キーストンプレート４も含めて容易に切断していくことができる。なお、切断位置は、キーストンプレート４の縁部位置に限らず、中央や中央寄りの中間位置であってもよい。
【００２６】
また、山谷の繰り返す方向へは、山部４ｂの延びる方向に並べられたキーストンプレート４，４間の位置で行われるから、土間コンクリート５を切断する、あるいは、土間コンクリート５に切込みを入れれば、キーストンプレート４を切断しなくても分離可能である。
【００２７】
なお、これらの切断等により、土間コンクリート５中のひび割れ防止筋７も、同時に切断されていく。
【００２８】
しかる後、図３（ハ）に示すように、切断線あるいは切込み線で囲まれた内部の各土間コンクリート版１１…を、アイボルト８…を利用して、クレーンで吊り上げ、外に運び出せばよい。切込み部分については、吊り上げによってその部分で割れ、また、その位置は、山部４ｂ方向に並べられたキーストンプレート４，４間の位置であるから、キーストンプレート４，４同士も分離される。
【００２９】
このように、上記のコンクリート土間構造によれば、解体を、切断機を用いて容易に行っていくことができ、また、破砕機を用いる解体の場合に比べ、騒音、粉塵等の環境問題の発生も抑えることができる。また、第１、第２の標示８，９により、切断ラインや切込みラインの読取りを容易に行うことができて、切断作業や切込み作業を能率良く行っていくことができる。
【００３０】
上記のようにしてクレーンで運び出されたコンクリート版１１は、方形をしており、トラック等に重ねるようにして積み込んで、効率良く運搬していくことができる。また、上記の解体によって得られるコンクリート版１１は、キーストンプレート４の上にコンクリート５を打設されて形成されたコンクリート版であり、プレキャストコンクリート版として、リサイクル、リユースして有効的に用いることができ、これを、建物の床スラブ材、壁材などとして用いることも可能であり、そういう用い方をすることにより、資源に無駄を生じさせない、環境に優しい構造物を世の中に提供していくことができる。
【００３１】
以上に、本発明の実施形態を示したが、本発明はこれに限られるものではなく、発明思想を逸脱しない範囲で各種の変更が可能である。例えば、上記の実施形態では、キーストンプレート４の山部４ｂと地盤面３との間の空洞部６を空洞のまま残した場合を示しているが、該空洞部６は、土間コンクリート５の切断をキーストンプレート４を含めて容易に行うことができるようにするためのものであり、その目的を妨げない範囲で、例えば、該空洞部６に、地盤よりも柔らかい充填材を充填しておくようにするのもよい。
【００３２】
また、上記の実施形態では、キーストンプレート４が、山部４ｂの延びる方向に複数並べられている場合を示しているが、山部４ｂの延びる方向には一つで、山谷の繰り返す方向に一つ又は複数並べられたコンクリート土間構造であってもよい。
【００３３】
また、第１、第２の標示８，９として、マーキング等が用いられてもよい。地盤面３についても、砕石と砂を敷き、転圧した面などで構成されていてもよいし、整地され転圧されただけの地盤面であってもよい。
【００３４】
また、上記の実施形態では、波板としてキーストンプレート４を用いた場合を示したが、その他の金属波板が用いられてもよいし、波板の材質についても制限はなく、樹脂製の波板などからなっていてもよい。
【００３５】
更に、上記の実施形態では、建物の床下のコンクリートを対象とした場合について説明しているが、事務所や店舗などの土間床にも用いることができる。
【図面の簡単な説明】
【００３６】
【図１】図（イ）は実施形態のコンクリート土間の構造を示す断面正面図、図（ロ）は敷き並べられたキーストンプレートの平面図である。
【図２】図（イ）〜図（ハ）は、コンクリート土間の形成方法を順次に示す断面正面図である。
【図３】図（イ）〜図（ハ）は、コンクリート土間の解体方法を順次に示す断面正面図である。
【符号の説明】
【００３７】
２…コンクリート土間
３…地盤面
４…キーストンプレート（波板）
４ａ…谷部
４ｂ…山部
５…土間コンクリート
６…空洞部
８…アイボルト（第１の標示）
９…目地部（第２の標示）
１１…コンクリート版
【図１】
2006097372.tif 000003
【図２】
2006097372.tif 000004
【図３】
2006097372.tif 000005